(57)【要約】【課題】被服の外部に出している足首の捻挫や打ち身、足から来る冷え症、アキレスの痛み等により足は毎日酷使しており、足首の酷使によって足の健康を害する原因になる。脚を伸ばして姿勢をただし、冷えた足の保温並びに血行を良くして足の疲労を回復するための足首健康器を提供する。【解決手段】足首健康器の前方に脚部を設けて傾斜する足載せ台を有する足首健康器の後方に踵部を立ち上げて、そこに載せた足が滑らないようにしている。前記の傾斜する足載せ台は、面状発熱体７を装着する凹部４を設けた収納台２の凹部底に断熱材を敷いて、その上に面状発熱体７を置いて、蓋体により面状発熱体を覆い、面状発熱体の正負電極８ａ，８ｂに設けた端子９にそれぞれ端部をハンダ付けした導線１０を構成している。前記の踵部に足首保護材を設けて踵の皮膚が素材の堅さで直接圧迫されないように保護し、面状発熱体から遠赤外線を照射するようにした足首健康器。【選択図】図３
2004024542.tif 000002
【特許請求の範囲】
【請求項１】
足首健康器の前方に脚部を設けて足を載せる処が傾斜するようにしたことにより、足の先を持ち上げて姿勢をただす事が出来る足首健康器であって、前記傾斜のある足載せ台の中には面状発熱体を内蔵して装着し、後方には足載せ台上の足の踵の皮膚に弾力材を当てて圧迫から保護する足首保護材を設けた踵部を立ち上げて設け、そこに足を載せて起立すれば足先を持ち上げて姿勢をただす事が出来るようにしたことを特徴とする面状発熱体を備える足首健康器。
【請求項２】
前記の傾斜する足載せ台は、断熱材を下に敷いて保温し、その上に載せた面状発熱体を内部に装着した収納台とその上に面状発熱体の蓋体を被せて内部を保護すると共に面状発熱体から発生している遠赤外線を照射するための構造からなっている請求項１に記載の面状発熱体を備える足首健康器。
【請求項３】
収納台上には面状発熱体を装着するために凹部を設け、その凹部の底に断熱材を敷いて、その上に面状発熱体を置いて、蓋体で覆い、その内部に装着している面状発熱体を保護している請求項１又は２に記載の面状発熱体を備える足首健康器。
【請求項４】
足を載せる台は、収納台の凹部に装着している面状発熱体の上に被せてある蓋体の平面であって、内部面状発熱体はその蓋体によって覆われていることにより足載せ台上に乗って体重がかかっても面状発熱体には異常が起きないように保護されている請求項１乃至請求項３のいずれかの各項に記載の面状発熱体を備える足首健康器。
【発明の詳細な説明】
【０００１】
【発明の属する技術分野】本発明に係る面状発熱体を備える足首健康器は、疲労し冷えた足の健康を回復するために使用するものであり、足を温め、姿勢をただし、足の酷使による過労を癒すことを目的とするものである。
【０００２】
【従来の技術】特開２０００−２８１５５号の公開特許公報には、発明の名称「塵埃付着防止の薄膜印刷による面状電器ヒーター製造装置と製造方法」に関して記載がある。面状発熱体は、ポリエチレンテレフタレート樹脂フイルム上の櫛歯状の正電極と負電極との相互の隙間に交互に正温度係数インクをスクリーン印刷して、もう一枚のポリエチレンテレフタレート樹脂フイルムをサンドイッチ状態に接着する前記の公報記載の装置と製造方法で製造される。本発明に係る面状発熱体を備える足首健康器において、その面状発熱体が遠赤外線の発生源に使用されている。遠赤外線発熱体である正温度係数インクは、Ｐ型半導体の一種で構成されており、遠赤外線発熱体の温度が高くなるにつれて電気抵抗値が急増する性質（正温度係数Ｐｏｓｉｔｉｖｅ　Ｔｅｍｐｅｒｔｕｒｅ　Ｃｏｅｆｆｉｃｉｅｎｔ＝ＰＴＣ特性）を有する。それゆえに、正電極と負電極間を埋めるように正温度係数インキを用いた印刷によって、温度が高くなると、この電気抵抗の急増により、通電が急激に減少し、遠赤外線発熱体の温度は、それ以上に上昇しない。
【０００３】
【発明が解決しようとする課題】本発明は、被服の外部に出している足首の捻挫や打ち身、足から来る冷え症、足の酷使からアキレスの痛みやこむらがえり等により毎日使う足は、想像以上の酷使によって足の健康を害する原因になっているため、アキレスを伸ばして姿勢をただし、こむらがえりに対症応急的な処置をするために使用したり、冷えた足の保温並びに遠赤外線により血行を良くして足の疲労を回復するための足首健康器を提供しようとするものである。
【０００４】
【課題を解決するための手段】本発明に係る面状発熱体を備える足首健康器は、足首健康器の前方に脚部を設けて平面に足を載せる処が傾斜するようにした足首健康器の後方に足の踵を保護する踵部を設け、前記の面状発熱体の収納台上に設けた面状発熱体を装着する凹部に断熱材を敷いて、断熱材の上に面状発熱体を装着して、足を載せる蓋体を面状発熱体の上に被せてその発熱体を保護し、弾力性のある足首保護材を前記の踵部に設けて足首を保護し、蓋体の上に足を載せ姿勢をただして面状発熱体の発する遠赤外線を照射するようにしたものである。
【０００５】請求項１に記載の発明は、足首健康器の前方に脚部を設けて足を載せる処が傾斜するようにしたことにより、足の先を持ち上げて姿勢をただす事が出来る足首健康器であって、前記傾斜のある足載せ台の中には面状発熱体を内蔵して装着し、後方には足載せ台上の足の踵の皮膚に弾力材を当てて圧迫から保護する足首保護材を設けた踵部を立ち上げて設け、そこに足を載せて起立すれば足先を持ち上げて、すね、ふくら脛を伸して姿勢をただす事が出来るようにしたことを特徴とする面状発熱体を備える足首健康器である。
【０００６】請求項２に記載の発明の実施態様は、前記の傾斜する足載せ台について、断熱材を下に敷いて保温し、その上に載せた面状発熱体を内部に装着した収納台とその上に面状発熱体の蓋体を被せ内部を保護すると共に面状発熱体から発生している遠赤外線を照射するための構造からなっている。
【０００７】請求項３に記載の発明の実施態様は、前記の収納台について、収納台上には面状発熱体を装着するために凹部を設け、その凹部の底に断熱材を敷いて、その上に面状発熱体を置いて、蓋体で覆い、その内部に面状発熱体を装着して保護している。
【０００８】請求項４に記載の発明の実施態様は、前記の足を載せる台について、収納台の凹部に装着している面状発熱体の上に被せてある蓋体の平面であって、内部面状発熱体はその蓋体によって覆われていることにより足載せ台上に乗って体重がかかっても面状発熱体には異常が起きないように保護されている。
【０００９】
【発明の実施の形態】本発明の技術的思想は、実施例において次に記載のように具体化されているものである。
【００１０】本発明に係る面状発熱体を備える足首健康器は、足首健康器の前方に脚部を設けて足を載せる処が傾斜するようにしたことにより、足先を持ち上げて姿勢をただす事が出来る足首健康器である。この足首健康器は、前記傾斜のある足載せ台を有するものであり、その後方には足載せ台上の足の踵を保護する踵部を設けて、そこに足を載せて起立すれば足先を持ち上げてすね、ふくら脛を伸すと同時に姿勢をただす事が出来るものである。
【００１１】前記の傾斜する足載せ台は、断熱材を下に敷いて、その上に載せた面状発熱体を内部に装着した収納台とその面状発熱体の蓋体を被せ内部を保護すると共に面状発熱体から遠赤外線を照射するための構造からなっている。即ち、収納台上に設けた凹部には断熱材を敷いて、その上に面状発熱体を置いて、更にその上から面状発熱体の蓋体で覆い、その内部に面状発熱体を装着して保護している。
【００１２】足を載せる台は、面状発熱体の上に被せてある蓋体の平面であって、内部面状発熱体はその蓋体によって覆われているので、足載せ台上に乗って体重がかかっても面状発熱体には異常が起きないように保護されている。
【００１３】断熱材は面状発熱体の下に敷かれており、これによって面状発熱体の正負電極間の隙間にスクリーン印刷された正温度係数インキから遠赤外線を照射している。蓋体を通して、面状発熱体の発する遠赤外線を足首に照射するようにしたものである。
【００１４】
【実施例】添付図面は、本発明の実施例について図示している。図１は、面状発熱体を備える足首健康器の側面図、図２は、足を載せて使用している状態を図示している面状発熱体を備える足首健康器の側面図、図３は、面状発熱体を備える足首健康器の内部面状発熱体を示す平面図、図４は、面状発熱体を備える足首健康器の内部に装着した断熱材と面状発熱体の構造を示す断面図、図５は、面状発熱体の収納台の平面図、図６は、面状発熱体の蓋体の底面図、図７は、足首健康器の前方に設けた脚部の展開図、図８は、足首健康器の後方に設けた踵部の展開図をそれぞれ示すものである。
【００１５】実施例は、足首健康器の前方に脚部１を設けて、収納台の蓋体１２平面は傾斜するようにした。足を載せる処は、この傾斜により足の先を持ち上げ姿勢をただす事が出来るようにした足首健康器の蓋体１２の平面に該当する処である。この足首健康器の前記傾斜のある足載せ台の後方には、足が滑り台から落ちないように踵部３ａ，３ｂを立ち上げて設けてあり、足載せ台上の足の踵を圧迫するのを弾力材で保護するために踵に当たる部分には凹部を設けてそこには足首保護材１１ａ，１１ｂを設け、踵の皮膚が圧迫されて摩擦で擦りむけないないように保護している。
【００１６】前記の傾斜する足載せ台は、面状発熱体の収納台２と装着した面状発熱体を覆い、足を載せるための蓋体１２により構成されている。収納台には面状発熱体７を装着するために凹部４を設け、その凹部の底に断熱材６を下に敷いてその上に面状発熱体７を載せて蓋体１２で覆い、その内部に装着した面状発熱体７を蓋体１２で保護すると共に導線１０の端部を電極に接続した端子９にハンダ付けして正負電極８ａ，８ｂへ通電するようにして、面状発熱体７から遠赤外線を照射するようになっている。
【００１７】収納台２上に設けた凹部４には端子収納部５をその凹部より更に深く設け、発熱体の正負電極にそれぞれ端子９を接続して端子収納部に装着して、蓋体１２により端子の接続不良をならしめないように保護している。すなわち、凹部４の底には断熱材６を敷いて、その上に装着している面状発熱体７の正電極８ａ，負電極８ｂに通電する導線１０の端部を、それぞれにハンダ付けした端子９を端子収納部５に装着してハンダ付けが外れて接触不良をおこさないように保護している。
【００１８】足を載せる台は、面状発熱体７の上に被せてある蓋体１２の平面であって、足載せ台上に乗って体重がかかっても内部の面状発熱体には、異常が起きないように保護されている。
【００１９】断熱材６は、面状発熱体７の下に敷かれており、内部の面状発熱体を固定する。このようにして、面状発熱体の発する遠赤外線を足載せ台上に置かれた足に照射するようにしたものである。
【００２０】
【実施例の作用】実施例の面状発熱体を備える足首健康器は、足載せ台上に冷たくなった足を載せて、面状発熱体に構成された一対の電極を有するポリエチレンテレフタレート樹脂フイルム上の櫛歯状電極間の相互の隙間にスクリーン印刷された遠赤外線発熱体である正温度係数インクによる暖かい遠赤外線を照射し、起立して、アキレス筋を伸ばし姿勢をただしたり、保温により足の筋肉の疲れを解すことも出来る。
【００２１】この足首健康器の温度は、従来の技術の項に記載の正温度係数インクのＰＴＣ特性によって制御されている。
【００２２】温度が高くなると電気抵抗が増加して急激に通電が減少し、温度が下降して来ると電気抵抗が減少して通電の回復が出来るために、無駄な電力消費による足載せ台の温度上昇と温度下降によるストレスとして、足首の暖め過ぎと冷え過ぎの温度差により足首に生じる不快感を除去して心地良い温度を維持する事が出来る特徴がある。
【００２３】
【発明の効果】本発明に係る面状発熱体を備える足首健康器は、請求項１乃至請求項４の各項に記載の構成により次に記載の発明の効果を奏するものである。
【００２４】面状発熱体を備える足首健康器は、通電始には正温度係数インキの中のグラファイト粉沫が互いに接触して発熱し、温度上昇によりグラファイト粉沫間が広がるので発熱が制限される自己温度制御機能により微妙な温度調整がむらなく可能になるものである。
【００２５】面状発熱体を備える足首健康器は、書斎や学童の勉強室で使用される足温用暖房補助具としても、又寝室や居間等で使用される健康運動補助具としても、リハビリセンターで使用される姿勢矯正用補助具としても、前記自己温度制御機能により可動接触部を持たないために保温温度のむらが少なく寿命の長い利用が出来るものとなる。
【００２６】台上に載せた足首を保温しながら、アキレス筋を伸ばすことにより、寝室で急に発生するこむらがえりの応急処置補助具としての利用も可能である。
【図面の簡単な説明】
【図１】実施例に係る面状発熱体を備える足首健康器の側面図
【図２】足を載せて使用している状態を示す同上側面図
【図３】内部構造の面状発熱体を示す同上平面図
【図４】内部構造の断熱材と面状発熱体を示す同上断面図
【図５】面状発熱体の収納台の平面図
【図６】面状発熱体の蓋体の底面図
【図７】足首健康器の前方に設けた脚部の展開図
【図８】足首健康器の後方に設けた踵部の展開図
【符号の説明】
１．．．足首健康器前方の脚部
２．．．面状発熱体の収納台
３ａ，３ｂ．．．足首健康器後方の踵部
４．．．面状発熱体を装着する凹部
５．．．端子収納部
６．．．断熱材
７．．．面状発熱体
８ａ，８ｂ．．．電極
９．．．端子
１０．．．導線
１１ａ，１１ｂ．．．足首保護材
１２．．．蓋体
【図１】
2004024542.tif 000003
【図２】
2004024542.tif 000004
【図３】
2004024542.tif 000005
【図４】
2004024542.tif 000006
【図５】
2004024542.tif 000007
【図６】
2004024542.tif 000008
【図７】
2004024542.tif 000009
【図８】
2004024542.tif 000010